(57)【要約】【課題】調和空気の吹出しを左右方向へ広げることが可能であって、全体的にムラのない送風を行わせることが可能な空気調和装置の室内機を提供する。【解決手段】室内機２は、ケーシング本体６と、第１垂直羽根１２ｘと、第２垂直羽根１２ｙとを備えている。第１垂直羽根１２ｘは、吹出口７内の左側壁１０ａや右側壁１０ｂ近傍に配置されている。第２垂直羽根１２ｙは、吹出口７の長手方向に沿って第１垂直羽根と並べられるとともに、第１垂直羽根１２ｘよりも中央寄りに配置される。垂直羽根駆動機構は、調和空気を吹出口７の左右方向に向かって吹き出させるために、第１垂直羽根１２ｘを第２垂直羽根１２ｙに比べて吹出口７の外側方向へ迫出すように移動させる。【選択図】図９
2011094876.tif 000002
【特許請求の範囲】
【請求項１】
調和空気を吹き出すための吹出口（７）を有するケーシング本体（６）と、
前記吹出口内の左右両端（１０ａ，１０ｂ）近傍に配置される第１垂直羽根（１２ｘ）と、
前記吹出口の長手方向に沿って前記第１垂直羽根と並べられるとともに、前記第１垂直羽根よりも中央寄りに配置される第２垂直羽根（１２ｙ）と、
前記第１垂直羽根を前記吹出口の前方に突出するまで移動させる駆動機構（６２）と
を備える、空気調和装置の室内機。
【請求項２】
前記駆動機構（６２）は、前記第１垂直羽根を前記吹出口の前方へ移動させるときに前記吹出口の側壁の方に傾くように姿勢を変更する、請求項１に記載の空気調和装置の室内機。
【請求項３】
前記駆動機構（６２）は、前記第１垂直羽根が前記吹出口の奥に移動したときに、前記第１垂直羽根が前記前記吹出口の中央寄りに調和空気を導くように姿勢を変更する、請求項２に記載の空気調和装置の室内機。
【請求項４】
前記第１垂直羽根（１２ｘ）は、前記吹出口の前記側壁に向かって凹状に湾曲した第１誘導面を有する、請求項１または請求項２に記載の空気調和装置の室内機。
【請求項５】
前記第１垂直羽根（１２ｘ）は、前記吹出口の中央に向かって凸状に湾曲した第２誘導面を有し、前記第１垂直羽根が前記吹出口の奥に移動したときに、前記第１垂直羽根の第２誘導面により調和空気を導く、請求項４に記載の空気調和装置の室内機。
【発明の詳細な説明】
【技術分野】
【０００１】
本発明は、空気調和装置の室内機に関し、特に室内に調和空気を吹き出すことにより室内の空気調和を行う空気調和装置の室内機に関する。
【背景技術】
【０００２】
空気調和装置の室内機は、例えば壁掛け型の場合、本体ケーシング内に、室内側熱交換器を備え、クロスフローファンなどの送風ファンにより室内空気を本体ケーシング内に吸い込み、室内側熱交換器を通して本体ケーシング外の主に前方に向かって調和空気を吹出口から吹き出している。吹出口から吹き出される調和空気の風向を制御するために、左右方向の風向を調節する垂直羽根と上下方向の風向を調節する上下風向調整羽根が設けられる。従来の壁掛け型室内機の吹出口は、室内機前面または室内機底面に設けられるのが一般的であり、室内機停止時には上下風向調整羽根によって覆われ、室内機運転時には上下風向調整羽根によって上下方向の風向が調節される。そのため、上下風向調整羽根は、吹出口と同じ長さ、すなわち本体ケーシングの長手方向の長さよりも短い。
【発明の概要】
【発明が解決しようとする課題】
【０００３】
このように室内機前面や室内機底面に吹出口が設けられている場合には、室内機の奥行きがあるために、垂直羽根だけで左右方向に調和空気を吹き出させるとすると、壁掛け型室内機が取り付けられている壁面に近いところには調和空気を送り届けることが難しくなる。吹出口から吹き出される調和空気の風向が壁面に対して所定の角度を持つため、この傾向は室内機からの距離が遠くなればなるほど顕著になる。
【０００４】
例えば特許文献１（特開平８−１３６０４２号公報）などでは、左右の斜め方向へ正確に狙った地点へ気流を到達させるために、２種類の左右風向板（第１種左右ガイドベーンおよび左右端ガイドベーン）を設けて左右の側壁の影響を緩和することが行われている。
【０００５】
しかし、特許文献１の壁掛け型室内機のような場合でも、左右の斜め方向よりもさらに左右方向へ広角に気流を吹き出させようとすると、左右の側壁に気流が当たり、左右方向にほぼ平行に調和空気を吹き出させるのは難しい。
【０００６】
本発明の課題は、室内機の左右方向にほぼ平行な方向へ調和空気を広く吹き出すことができる空気調和装置の室内機を提供することにある。
【課題を解決するための手段】
【０００７】
第１発明に係る空気調和装置の室内機は、ケーシング本体と、第１垂直羽根と、第２垂直羽根と、駆動機構とを備える。ケーシング本体は、調和空気を吹き出すための吹出口を有する。第１垂直羽根は、吹出口内の左右両端近傍に配置される。第２垂直羽根は、吹出口の長手方向に沿って第１垂直羽根と並べられるとともに、第１垂直羽根よりも中央寄りに配置される。駆動機構は、第１垂直羽根を吹出口の前方に突出するまで移動させる。
【０００８】
本発明によれば、第１垂直羽根を吹出口の前方に突出させることにより、吹出口の壁の影響を排除して、左右方向に略平行な方向へ調和空気を吹き出させることができる。
【０００９】
第２発明に係る空気調和装置の室内機は、第１発明の空気調和装置の室内機であって、駆動機構は、第１垂直羽根を吹出口の前方へ移動させるときに吹出口の側壁の方に傾くように姿勢を変更する。
【００１０】
本発明によれば、第１垂直羽根が突出したときに、左右に向きが変わる分だけ、より横吹きに適した姿勢にでき、吹出口の左右方向に調和空気の気流を効果的に広げることができる。
【００１１】
第３発明に係る空気調和装置の室内機は、第１発明または第２発明の空気調和装置の室内機であって、第１垂直羽根が吹出口の奥に移動したときに、第１垂直羽根が吹出口の中央寄りに調和空気を導くように姿勢を変更する。
【００１２】
本発明によれば、第１垂直羽根を使って吹出口中央方向へ調和空気を誘導することにより、第１垂直羽根が配置されている方向とは反対の方向へ向かう気流を強めることができる。
【００１３】
第４発明に係る空気調和装置の室内機は、第１発明または第２発明のいずれかの空気調和装置の室内機であって、吹出口の側壁に向かって凹状に湾曲した第１誘導面を有する。
【００１４】
本発明によれば、第１垂直羽根を吹出口の前方に突出させたときに、第１誘導面の凹状に湾曲した湾曲面に沿って調和空気を誘導することができ、広角度で吹き出させ易くなる。
【００１５】
第５発明に係る空気調和装置の室内機は、第４発明の空気調和装置の室内機であって、吹出口の中央に向かって凸状に湾曲した第２誘導面を有し、第１垂直羽根が吹出口の奥に移動したときに、第１垂直羽根の第２誘導面により調和空気を導く。
【００１６】
本発明によれば、吹出口の奥に移動して収納されたときに、第１垂直羽根の第２誘導面で調和空気を導くことにより、第１垂直羽根が設けられている側とは反対の側に調和空気を導き易くなる。
【発明の効果】
【００１７】
第１発明の空気調和装置の室内機においては、吹出口内の左右両端近傍に配置される第１垂直羽根によって、室内機の左右方向にほぼ平行な方向へ調和空気を広く吹き出すことができる。
【００１８】
第２発明の空気調和装置の室内機においては、第１垂直羽根の姿勢により、左右方向に調和空気の気流を効果的に広げ、より多くの調和空気を全体に渡ってムラなく送風し易くなる。
【００１９】
第３発明の空気調和装置の室内機においては、第１垂直羽根によって中央に向けて気流を集められるので、調和空気を前方に強く吹出させ易くなる。
【００２０】
第４発明の空気調和装置の室内機においては、第１垂直羽根の第１誘導面で広角に変更し易くなり、第１垂直羽根を小型化し易く、装置の小型化が容易になる。
【００２１】
第５発明の空気調和装置の室内機においては、中央に調和空気を集め易い構成を、第１垂直羽根の第２誘導面で簡単に実現することができる。
【図面の簡単な説明】
【００２２】
【図１】一実施形態の空気調和装置の概要を示す図。
【図２】一実施形態の室内機の正面図。
【図３】一実施形態の室内機の側面図。
【図４】一実施形態の室内機の斜視図。
【図５】水平羽根について説明するための部分破断斜視図。
【図６】水平羽根について説明するための部分破断斜視図。
【図７】水平羽根について説明するための部分破断斜視図。
【図８】水平羽根について説明するための部分破断斜視図。
【図９】（ａ）左に吹き出すときの垂直羽根の配置を説明するための部分破断斜視図。（ｂ）前方に吹き出すときの垂直羽根の配置を説明するための部分破断斜視図。（ｃ）右に吹き出すときの垂直羽根の配置を説明するための部分破断斜視図。
【図１０】垂直羽根について説明するための部分破断斜視図。
【図１１】垂直羽根について説明するための部分破断斜視図。
【図１２】垂直羽根について説明するための部分破断斜視図。
【図１３】一実施形態の制御部の構成を説明するためのブロック図。
【図１４】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図１５】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図１６】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図１７】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図１８】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図１９】（ａ）従来の室内機が吹き出す気流を説明するための正面図。（ｂ）一実施形態の室内機が吹き出す気流を説明するための側面図。
【図２０】（ａ）従来の室内機が吹き出す気流を説明するための正面図。（ｂ）従来の  室内機が吹き出す気流を説明するための側面図。（ｃ）従来の室内機が吹き出す気流を  説明するための底面図。
【図２１】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図２２】（ａ）一実施形態の室内機が吹き出す気流を説明するための正面図。（ｂ）一実施形態の室内機が吹き出す気流を説明するための側面図。（ｃ）一実施形態の室内機が吹き出す気流を説明するための底面図。
【図２３】一実施形態の室内機の正面図。
【図２４】一実施形態の室内機の斜視図。
【発明を実施するための形態】
【００２３】
＜空気調和装置の構成の概要＞
この発明の一実施形態に係る空気調和装置１は、図１に示すように、室内の壁Ｗに取り付けられる室内機２と、室外に設置される室外機３とを備えている。室内機２と室外機３とは、冷媒配管、加湿ホース、伝送線及び通信線などを集合した集合連絡配管４によって接続される。
【００２４】
この空気調和装置１は、熱交換を行って室内の空気調和を行うために冷媒回路を備えている。冷媒回路は、例えば、室内機２の室内側熱交換器（冷房時は蒸発器／暖房時は凝縮器として機能する）及び、室外機３の圧縮機と室外側熱交換器（冷房時は凝縮器／暖房時は蒸発器として機能する）と膨張弁などが集合連絡配管４の中の冷媒配管で連結されて構成される。また、空気調和装置１を制御するために、リモートコントローラ５などの制御端末から指令を受けて室内機２のファンモータなどの室内側機器を制御するための電装品箱が室内機２に設けられ、室外機３のファンモータなどの室外側機器を制御するための電装品箱が室外機３に設けられている。そして、室内機２の電装品箱と室外機３の電装品箱とが集合連絡配管４の中を通る伝送線で接続されている。
【００２５】
＜室内機の構成の概観＞
図１に示すように、室内機２は、ケーシング本体６の底面２ｅに吹出口７が形成されている。図２は、本発明の一実施形態に係る空気調和装置の室内機の正面図である。図２に示すように、室内機２は、吹出口７から調和空気を吹き出すため、室内空気を吸込む吸込口８をケーシング本体６の天面２ｄに備えている。
【００２６】
図３は室内機の右側面図である。図３に示すように、室内機２のケーシング本体６の内部には、側面視においてケーシング本体６の略中央の背面側寄りにクロスフローファン９が設けられる。正面視においては、図２に示すように、このクロスフローファン９は、吸込口８と同じ程度の長さを有し、室内機２（ケーシング本体６）の長手方向ＤｒLに沿って長く水平に配置されている。
【００２７】
また、ケーシング本体６内のクロスフローファン９の上流側には、側面視において、逆Ｖ字形状をした室内熱交換器（図示省略）が配置され、クロスフローファン９に吸込まれる前に室内熱交換器を室内空気が通過することによって空気調和が行われる。このようにケーシング本体６の長手方向に長く延びるクロスフローファン９により室内空気の吸い込みと調和空気の吹き出しとを行って効率良く室内の空気調和を実施させるため、室内熱交換器もケーシング本体６の長手方向に長く延びる形状に形成され、長く延びる吸込口８と吹出口７との間に配置される。室内熱交換器の上流にはエアフィルタ（図示省略）が設けられており、クロスフローファン９に導かれる調和空気にエアフィルタの隙間より大きな埃は完全に取り除かれる。
【００２８】
図１、図２及び図３に示されているように、室内機２は、ケーシング本体６の前面２ａ、左側面２ｂ、右側面２ｃ、天面２ｄおよび底面２ｅ、すなわち背面２ｆを除く５つの面が化粧パネル６ａで覆われている。なお、室内機２の左側面２ｂおよび右側面２ｃを結ぶ方向すなわち室内機２（吹出口７）の長手方向ＤｒＬに沿う方向を左右方向と呼ぶ場合があり、正面視における右手が右方向、正面視における左手が左方向になる。また、室内機２の背面２ｆから前面２ａ（正面）に向かう方向を前方といい、天面２ｄから底面２ｅの方に向かう方向を下方という。
【００２９】
図１には、吹出口７に設けられている水平羽根１１が開いている状態が示されており、図２および図３には水平羽根１１が閉じている状態が示されている。室内機２は、運転停止時に水平羽根１１が閉じて吹出口７が塞がれ、運転時に水平羽根１１が開いて吹出口７が開放される。なお、以下の説明において、水平羽根１１が吹出口７を塞ぐという表現は吹出口７と水平羽根１１の間に調和空気を吹き出す隙間がない状態の表現に用い、水平羽根１１が吹出口７を覆うという表現は水平羽根１１が閉じる動作に説明の重点を置いて調和空気を吹き出す隙間がある場合もない場合も許容する表現として用いる。
【００３０】
図１に示す室内機２では、前面２ａから室内空気の吸い込みは行われず、室内機２はもっぱらケーシング本体６の天面２ｄの吸込口８から室内空気の吸い込みを行っている。そのため、室内機２の内部における室内空気の循環は、室内機２の天面２ｄの側から室内機２の底面２ｅの側に向けて行われる。
【００３１】
＜吹出通路＞
図２および図３に示されているように、室内機２には、クロスフローファン９から吹出口７に至る、ディフューザー構造の吹出通路１０が設けられている。吹出通路１０には、左側壁１０ａ、右側壁１０ｂ、後方案内面１０ｃ及び前方案内面１０ｄがある。吹出通路１０の後方案内面１０ｃは、側面視において、クロスフローファン９の側に曲率中心を持つ滑らかな曲線を描いており、下方に向かうに従って曲率半径が大きくなる。そして、後方案内面１０ｃと前方案内面１０ｄとの間隔が吹出口７に近づくほど大きくなり、吹出通路１０の開口が吹出口７に近づくほど大きくなる。また、クロスフローファン９が、右側面から見て、時計回りに回転して送風し、その中心軸が背面２ｆの方に寄って配置されているので、吹出通路１０は、底面２ｅの前方側に向けて斜めに形成される。そのため、吹出通路１０から吹出口７に向かう調和空気は、下方に向く方向ベクトルと前方に向く方向ベクトルとを有し、乱れの少ない層流になる。
【００３２】
＜水平羽根と垂直羽根による気流の調節＞
図１に示すように、吹出口７の前方には、水平羽根１１が設けられる。また、図４に示すように、吹出通路１０には、複数枚の垂直羽根１２が可動可能に取り付けられている。風向装置は、これら水平羽根１１と垂直羽根１２とを備えて構成されており、さらにこれら水平羽根１１と垂直羽根１２を駆動するために後述の駆動機構を備える。そして、駆動機構の動作は、後述する制御部により制御される。制御部の制御の下で水平羽根１１と垂直羽根１２が種々の姿勢をとることによって、調和空気の多種多様な気流が発生する。
【００３３】
室内機２は、この水平羽根１１によって室内機２の上下方向の風向きを調節することができる。また、複数の垂直羽根１２の面１２ａは、ケーシング本体６の長手方向に対して垂直な状態を中心にして左右に揺動する。これら垂直羽根１２の面１２ａは、揺動することにより、あるいは揺動した後に任意の角度で止まることにより、調和空気の左右方向についての吹出し方向を調整する。
【００３４】
図５、図６、図７および図８に、水平羽根１１の異なる４つの状態を示している。後述するように、吹出通路１０の左側壁１０ａと右側壁１０ｂに最も近い垂直羽根１２が吹出口７から突出するように移動する。水平羽根１１が吹出通路１０内や吹出口７の近傍で角度だけを変化させると、突出してきた垂直羽根１２が水平羽根に衝突して上手く動作させることができない。そこで、水平羽根１１は、吹出口７を塞いでいる状態から開放するときに前方へ迫出すような移動を行うように構成されている。この水平羽根１１は、図５、図６、図７および図８に示す４つの状態になるために移動するが、その移動途中の状態においても停止して、これら４つの状態への移行途中の状態の姿勢を維持することもできる。
【００３５】
図５に示す状態は、水平羽根１１が閉じて水平羽根１１により吹出口７が塞がれている状態である。図６、図７および図８に示す状態は、水平羽根１１が開いて吹出口７が開放されている状態であるが、図６、図７および図８に示す状態では、水平羽根１１の姿勢が異なっている。
【００３６】
図６に示す状態は、水平羽根１１が迫出し、水平羽根１１の前端部１１ａが後端部１１ｂより上方に上がって、吹出口７に対して水平羽根１１が略平行になっている。図７に示す状態は、水平羽根１１が迫出し、水平羽根１１の前端部１１ａが後端部１１ｂより下がって、水平羽根１１が前端部１１ａの方から前方に向かって大きく開口している。図８に示す状態は、水平羽根１１が迫出し、水平羽根１１の前端部１１ａが後端部１１ｂより上がって、水平羽根１１が、ほぼ鉛直に立っており、後端部１１ｂの方から下方に向かって大きく開口した状態になっている。
【００３７】
図６、図７および図８に示す状態の姿勢を水平羽根１１に取らせるために、水平羽根駆動機構は、中間支持アーム４０、左支持アーム４１および右支持アーム４２を備えている。また、水平羽根駆動機構の中間支持アーム４０は、回動アーム４０ａと揺動アーム４０ｂと可動軸４０ｃと連結部４０ｄを含む。中間支持アーム４０、左支持アーム４１および右支持アーム４２は、ケーシング本体６の長手方向の中央とその左右に配置され、中間支持アーム４０が後端部１１ｂに近いところに取り付けられ、左支持アーム４１および右支持アーム４２が前端部１１ａに近いところに取り付けられ、水平羽根１１を支えている。
【００３８】
左支持アーム４１および右支持アーム４２は、ラックアンドピニオン機構（図示省略）によって前方に向かって斜め下方に伸びるように移動（迫出し）したり、それとは逆の方向に移動して収納されたりする。これら中間支持アーム４０、左支持アーム４１および右支持アーム４２は、水平羽根１１と連結される連結部４０ｄ，４１ａ，４２ａが軸支されるのではなく、ボールジョイント（図示省略）で水平羽根１１に連結されるため、水平羽根１１を支持した状態で前後への回動だけでなく、中間支持アーム４０の連結部４０ｄを中心とする左右の回動にも対応できる。
【００３９】
中間支持アーム４０の回動アーム４０ａは、ケーシング本体６に連結される一端側が駆動軸（図示省略）により軸支されており、駆動軸の周りに回動可能である。回動アーム４０ａの他方端側と揺動アーム４０ｂの一端側とは可動軸４０ｃにより連結されており、揺動アーム４０ｂは、可動軸４０ｃの周りで揺動可能である。また、揺動アーム４０ｂの他方端側がボールジョイント（図示省略）の連結部４０ｄにより水平羽根１１に支持されており、揺動アーム４０ｂは、連結部４０ｄの周りに揺動可能である。
【００４０】
連結部４０ｄにより水平羽根１１が連結されている位置は、左支持アーム４１および右支持アーム４２を連結している連結部４１ａ、４２ａを結ぶ軸が前端部１１ａに近いのに対し、後端部１１ｂに近い。このように左支持アーム４１および右支持アーム４２の連結部４１ａ，４２ａを結ぶ軸と揺動アーム４０ｂの連結部４０ｄの位置が水平羽根１１の前後方向にずれているため、回動アーム４０ａを回動させることによって水平羽根１１を回動させることができる。また、揺動アーム４０ｂが揺動することにより、回動アーム４０ａの一端側の駆動軸と揺動アーム４０ｂの連結部４０ｄとの距離を変化させることができる。風向装置は、ラックアンドピニオン機構による中間支持アーム４０，左支持アーム４１および右支持アーム４２の迫出し量の調整と、駆動軸による水平羽根１１の回転角度の調整とによって、水平羽根１１の平行移動と回転移動を組み合わせることにより、水平羽根１１に種々の姿勢を取らせることができる。
【００４１】
左支持アーム４１および右支持アーム４２の移動量が同じになるようにラックアンドピニオン機構によって駆動され、左支持アーム４１と右支持アーム４２の移動に対して回動アーム４０ａの回動が追随させられることにより、水平羽根１１が平行に移動される。それにより、例えば、図６に示すように、水平羽根１１が水平になる姿勢を取る。図６の姿勢よりもさらに左支持アーム４１と右支持アーム４２を伸ばし、中間支持アーム４０を右側面２ｃの方から見て反時計回りに回転させると、図７に示すように前端部１１ａが下がって前方に開いた姿勢を水平羽根１１に取らせることができる。図６の姿勢よりもさらに左支持アーム４１と右支持アーム４２を伸ばし、中間支持アーム４０を右側面２ｃの方から見て時計回りに回転させると、図８に示すように後端部１１ｂが下がって下方に開いた姿勢を水平羽根１１に取らせることができる。また、左支持アーム４１と右支持アーム４２を伸ばす量（移動量）を異ならせることにより、水平羽根１１を左または右に傾けることができる。
【００４２】
＜垂直羽根駆動機構＞
空気調和装置の風向装置は、以上説明した水平羽根１１と垂直羽根１２およびそれらを駆動するための水平羽根駆動機構に加え、垂直羽根駆動機構を備えている。垂直羽根１２には、図９（ａ）、図９（ｂ）および図９（ｃ）に示すように、吹出口７の左右両端部近傍に設けられている第１垂直羽根１２ｘと、第１垂直羽根１２ｘよりも吹出口７の中央寄りに設けられている第２垂直羽根１２ｙとが含まれる。
【００４３】
垂直羽根駆動機構は、第１垂直羽根１２ｘおよび第２垂直羽根１２ｙを駆動するためのステッピングモータ２０ｆなどを備えている。なお、ステッピングモータは、左右両側に一つずつ設けられているが、左側に設けられているステッピングモータについては図を示しての説明を省略している。また、以下に説明する第１垂直羽根１２ｘ、第２垂直羽根１２ｙおよび垂直羽根駆動機構の左側部分については、右側部分と対称な構造となっているため、右側部分の図示および説明だけを行い、左側部分の図示および説明を省略する。
【００４４】
第１垂直羽根１２ｘは、駆動力を伝達するための伝達軸２１ｆに支持アーム２２ｆにより固定されている。この伝達軸２１ｆがクランク軸２４ｆを介してステッピングモータ２０ｆに接続されており、ステッピングモータ２０ｆが回転すれば、その回転に連れて伝達軸２１ｆが回転して支持アーム２２ｆも回転する。図９（ａ）には、ステッピングモータ２０ｆが時計回りに回転して支持アーム２２ｆがケーシング本体６に当接し、第１垂直羽根１２ｘが吹出口７の奥に引っ込んだ状態が示されている。図９（ａ）の状態では、第１垂直羽根１２ｘの吹出し側の先端部分が左右方向に対してほぼ垂直になっている。図９（ｂ）には、図９（ａ）の状態からステッピングモータ２０ｆが反時計回りに所定角度だけ回転し、第１垂直羽根１２ｘが吹出口７から少し突出している状態が示されている。図９（ｂ）の状態では、第１垂直羽根１２ｘの吹出し側の先端部分が外に開くように移動されている。それにより、第１垂直羽根１２ｘの誘導面１２ｘａが吹出口７の外側に向かって開くように配置される。図９（ｃ）には、図９（ｂ）の状態からステッピングモータ２０ｆがさらに反時計回りに回転し、支持アーム２２ｆがケーシング本体６に当接して停止している状態が示されている。図９（ｃ）の状態では、図９（ｂ）よりもさらに第１垂直羽根１２ｘの誘導面１２ｘａと左右方向とのなす角が大きくなっている。
【００４５】
第２垂直羽根１２ｙは、駆動力を伝達するためのクランクアーム２５ｆに垂直羽根連結棒２６ｆを介して接続されている。このクランクアーム２５ｆがクランク軸２４ｆを介してステッピングモータ２０ｆに接続されており、ステッピングモータ２０ｆが回転すれば、その回転に連れてクランクアーム２５ｆが回転して垂直羽根連結棒２６ｆが左右方向に直線的に移動する。垂直羽根連結棒２６ｆはクランクピン２７ｆによってクランクアーム２５ｆに取り付けられており、垂直羽根連結棒２６ｆがクランクピン２７ｆの周りを回動することができるように構成されている。図９（ａ）には、ステッピングモータ２０ｆが時計回りに回転して垂直羽根連結棒２６ｆが左に移動し、第２垂直羽根１２ｙが左に傾いている状態が示されている。このとき、第２垂直羽根１２ｙは垂直羽根連結棒２６ｆに押されて、垂直羽根連結棒２６ｆにより押されて変形し、左へ曲がっている。図９（ｂ）には、図９（ａ）の状態からステッピングモータ２０ｆが反時計回りに所定角度だけ回転して垂直羽根連結棒２６ｆが右に移動し、第２垂直羽根１２ｆが左右方向に対して垂直になっている状態が示されている。図９（ｃ）には、図９（ｂ）の状態からステッピングモータ２０ｆがさらに反時計回りに回転して垂直羽根連結棒２６ｆが右に移動し、第２垂直羽根１２ｙが右に傾いている状態が示されている。
【００４６】
以上説明した図９（ａ）に対応する部分破断斜視図が図１０であり、図９（ｂ）に対応する部分破断斜視図が図１１であり、図９（ｃ）に対応する部分破断斜視図が図１２である。上述の説明では、ステッピングモータ２０ｆがクランク軸２４ｆを直接回転し、クランク軸２４ｆの回転が伝達軸２１ｆやクランクアーム２５ｆに伝わり、伝達軸２１ｆとクランクアーム２５ｆが同時に回転する場合を例に上げている。しかし、伝達軸２１ｆとクランクアーム２５ｆは常に同時に回転するとは限らない。図示を省略しているが、伝達軸２１ｆにはクラッチ機構が組み込まれており、クランク軸２４ｆと伝達軸２１ｆの結合を解くことができる。それにより、伝達軸２１ｆを所定位置に停止させた状態で、クランク軸２４ｆによってクランクアーム２５ｆのみを駆動することができる。このときの伝達軸２１ｆの停止位置の維持は、例えば、支持アーム２２ｆとケーシング本体６との摩擦抵抗によって行われる。
【００４７】
図１０に示す状態では、第１垂直羽根１２ｘの後方部１２ｘｄが右側壁１０ｂに当接している。図１０に示す状態において、第１垂直羽根１２ｘに沿って吹き出される気流３０ｆは、第１垂直羽根１２ｘの後方部１２ｘｄに近いところが左斜め前方を向いているため左斜め前方になる。図１１に示す状態で第１垂直羽根１２ｘに沿って強く吹き出される気流３１ｆは、前方方向と右方向の中間程度になる。そのため、図１１に示す状態では、調和空気の吹出し領域を左右方向に広げて広角に吹き出させることができるが、特に右斜め前方に強く吹き出させることができる。図１２に示す状態で第１垂直羽根１２ｘに沿って吹き出される気流３２ｆは、ほぼ左右方向に平行なる。図１２に示す状態では、調和空気の吹出し領域を壁Ｗに沿ったところまで広げることができる。
【００４８】
図１１および図１２の状態では、吹出口７よりも第１垂直羽根１２ｘが突出している。吹出口７の形状も様々であるため、吹出口７よりも第１垂直羽根１２が突出しているといっても一意に決まらない場合がある。例えば、図４に示すように、吹出口７の前方方向が左右方向より出っ張っている場合などである。この場合、吹出口７の前方方向より突出すればよいのか、左右方向より突出すればよいのかが明確でない。そのため、本実施形態において吹出口７より突出するとは、側面視において吹出口７の左右端部より突出することと定義する。例えば、図１１や図１２では、吹出口７の右端７ａよりも第１垂直羽根１２ｘが飛び出しているので、突出しているといえる。これは、吹出通路１０の右側壁１０ｂが左右方向への気流の拡散を妨げているので、例えば、少なくとも第１垂直羽根１２ｘが右端７ａより突出していれば、右側壁１０ｂの影響がなくなるという技術的な意味があるからである。このように定義すると、左右端部に高低がある場合でも、側面視において第１垂直羽根１２ｘが少しでも覗けば突出したものとなる。
【００４９】
なお、上述の説明では、水平羽根１１が図７に示すように開放される冷房運転時の状態を例に上げているが、図８に示す暖房運転時の状態や図９に示すように水平羽根１１が吹出口７と平行になっている場合についても同様の動作が可能である。そして、第１垂直羽根１２ｘを第２垂直羽根１２ｙよりも迫出させることで、左右方向への気流の拡散効果を有するのは上述の通りである。
【００５０】
第２垂直羽根１２ｙは、図４に示すように２本の垂直羽根連結棒２６ｅ，２６ｆで連結されているため、左側面２ｂに近いグループＡと右側面２ｃに近いグループＢの２つのグループに分けることができる。揺動方向は、異なる垂直羽根連結棒２６ｅ，２６ｆに連結されているグループＡとグループＢで独立しており、例えばグループＡが右に傾いているときに、グループＢが左に傾くことがある。また、グループＡとグループＢにおいて、例えば同じ方向に傾いているときであっても傾く角度を異ならせることができる。当然、グループＡとグループＢに属する第２垂直羽根１２ｙを同じ向きに揺動させることもできる。
【００５１】
＜制御部＞
水平羽根１１と垂直羽根１２の吹出し方向の調整により、またクロスフローファン９の風速の調整により、室内の形態や室内の状況に対応した適切な空気調和のための調和空気の気流を発生することができる。これら水平羽根１１や垂直羽根１２やクロスフローファン９などの制御を行うために、図１３に示すような制御部５０を備えている。制御部５０は、室内機２の各機器を制御するための室内制御部５１と、室外機の各機器を制御するための室外制御部５２とを備えており、室内制御部５１と室外制御部５２との間を信号線５３で接続して構成されている。
【００５２】
室外制御部５２には、圧縮機５４、室外電動膨張弁５５、四路切換弁５６、室外ファン５７、複数の圧力センサ５８および複数の温度センサ５９などが接続されている。室外制御部５２は、例えば圧縮機５４の回転数を制御することにより冷媒回路の冷媒循環量を制御し、室外電動膨張弁５５の開度を制御することにより冷媒回路を流れる冷媒の圧力を制御する。室外制御部５２は、四路切換弁５６を切り換えることにより、冷凍回路に流れる冷媒の循環経路の切換を行って暖房運転と冷房運転の切換などの運転切換の制御を行う。また、室外制御部５２は、室外ファン５７の回転数を制御することにより、室外熱交換器における熱交換効率の制御などを行う。そのため、冷媒回路や各機器に設置された複数の圧力センサ５８や温度センサ５９などによって検知された各部の温度や圧力を、室外制御部５２は、制御のための判断に用いている。
【００５３】
一方、室内制御部５１には、送受信部６０、水平羽根駆動機構６１、垂直羽根駆動機構６２、クロスフローファン用モータ６３、温度センサ６４および表示部６５などが接続されている。室内制御部５１は、制御のために、使用者のリモートコントローラなどと送受信部６０との間でデータの送受信を行っている。室内制御部５１は、室内の状態や使用者の設定に従って、水平羽根駆動機構６１、垂直羽根駆動機構６２およびクロスフローファン用モータ６３の制御を行い、水平羽根１１および垂直羽根１２の角度や揺動の状態、およびクロスフローファン用モータ６３の回転数を調整し、調和空気の吹出し方向や吹き出す強さなどを変更することができる。室内制御部５１は、冷媒回路や各機器に設置された複数の温度センサ６４などによって検知された各部の温度などの状態情報を、制御のための判断に用いている。また、室内制御部５１は、表示部６５を介して、室内機２の設定状態や環境などを使用者に知らせる。
【００５４】
室内制御部５１が制御する水平羽根駆動機構６１は、水平羽根１１を迫出させたり収納したりする駆動に加え、水平羽根１１を左または右に傾けるような駆動ができるように、左支持アーム駆動部６６と右支持アーム駆動部６７とを備えている。そして、室内制御部５１は、左支持アーム駆動部６６と右支持アーム駆動部６７とを独立して駆動させることができる。また、中間支持アーム４０を駆動するために中間支持アーム駆動部６８を備えている。室内制御部５１は、水平羽根１１を平行移動させるときには、左支持アーム４１の移動量と右支持アーム４２の移動量とが同じになるように制御し、水平羽根１１が平行移動するように中間支持アーム駆動部６８により中間支持アーム４０を左支持アーム４１と右支持アーム４２に追従させる。水平羽根１１を左右のいずれかに傾けるときには、左支持アーム４１の移動量と右支持アーム４２の移動量とが異なるように制御する。
【００５５】
水平羽根１１が吹出口７を塞いだ状態から開放して、水平羽根１１を所望の状態にするときには、室内制御部５１は、まず、左支持アーム駆動部６６と右支持アーム駆動部６７により左支持アーム４１と右支持アーム４２を移動して水平羽根１１を平行に迫出させる。このとき、中間支持アーム駆動部６８は、水平羽根１１が平行移動するように、迫出す動作に追従して回動アーム４０ａを回動させる。それにより、水平羽根１１の迫出しによって塞がれていた吹出口７は開放されるが、水平羽根１１が吹出口７の周囲に強く擦れずにスムーズに開放される。
【００５６】
次に、左支持アーム４１および右支持アーム４２を固定した状態にするとともに、中間支持アーム駆動部６８により、回動アーム４０ａを回動させ、左支持アーム４１の連結部４１ａと右支持アーム４２の連結部４２ａとを結ぶ軸の周りで水平羽根１１を回動させる。以上のような平行移動と回動移動の２ステップの操作で水平羽根１１を所望の状態に移動することができる。
【００５７】
なお、上述のような２ステップの操作を並行して行わせ、平行移動させつつ回動移動をさせることにより１ステップで水平羽根１１を所望の状態に移動させるように、室内制御部５１が制御することもできる。
【００５８】
室内制御部５１は、垂直羽根駆動機構６２について、図９に示した右側のステッピングモータ２０ｆ、左側のステッピングモータ（図示省略）、右側のクラッチ機構（図示省略）および左側のクラッチ機構（図示省略）を制御する。クラッチ機構は、例えば電磁石などのより構成でき、電磁石のオン・オフでクラッチ機構の連結開放をこれらの制御により、垂直羽根駆動機構６２が駆動する右側の第１垂直羽根１２ｘおよび第２垂直羽根１２ｙ並びに左側の第１垂直羽根１２ｘおよび第２垂直羽根１２ｙなどの停止位置の決定や連続的なスイング動作をそれぞれ独立して行わせることができる。
【００５９】
＜垂直羽根と調和空気の気流＞
（冷房運転時の吹出し）
図１４、図１５、図１６、図１７、図１８および図２０を用いて、冷房運転時の調和空気の気流を説明する。図１４（ａ）、図１５（ａ）、図１６（ａ）、図１７（ａ）、図１８（ａ）および図２０（ａ）は正面図、図１４（ｂ）、図１５（ｂ）、図１６（ｂ）、図１７（ｂ）、図１８（ｂ）および図２０（ｂ）は右側面図、図１４（ｃ）、図１５（ｃ）、図１６（ｃ）、図１７（ｃ）、図１８（ｃ）および図２０（ｃ）は底面図である。また、図１４、図１５、図１６、図１７、図１８および図２０において矢印で示されているのが気流である。なお、図２０は、比較のための従来の空気調和装置の気流を説明するための図であり、風向羽根によって左右方向に調和空気を吹き出すタイプの室内機を示している。
【００６０】
図１４に示されている気流３３は、冷房運転時において、前端部１１ａが後端部１１ｂよりも少し下に位置するように水平羽根１１を開き、第１垂直羽根１２ｘおよび第２垂直羽根１２ｙが中央に向いている状態で発生しているものである。図１４に示す状態の形成の仕方を右側の第１垂直羽根１２ｘを例にして説明する。電源が切られている状態では、第１垂直羽根１２ｘが付勢されていて、収納された状態になる。そこから、図１４に示す状態にするためには、伝達軸２１ｆのクラッチ機構を開放して、伝達軸２１ｆとクランク軸２４ｆとが結合状態を解く。そして、ステッピングモータ２０ｆを時計回りに回転させて、図９（ｂ）に示したように第２垂直羽根１２ｙを前方に対して左に傾ける。このとき、伝達軸２１ｆのクラッチ機構が開放されているので、第１垂直羽根１２ｘは収納された状態を保ち、第１垂直羽根１２ｘの後方部１２ｘｄは前方に対して左に傾いた状態になっている。その結果、図１４に示すような、第１垂直羽根１２ｘも第２垂直羽根１２ｙの後方部１２ｘｄも前方に対して左に傾いた状態が形成される。
【００６１】
図１５に示されている気流３４は、冷房運転時において、図１４の状態と同様に水平羽根１１を開き、水平羽根１１を開き、第１垂直羽根１２ｘおよび第２垂直羽根１２ｙが前方に対してほぼ平行（左右方向に対して垂直）に向いている状態で発生しているものである。図１５に示す状態の形成の仕方を右側の第１垂直羽根１２ｘを例にして説明する。図１５に示す状態にするためには、図９（ａ）に示すように、まず第２垂直羽根１２ｙを吹出口７の中央方向に向かって傾ける。その状態で、伝達軸２１ｆのクラッチ機構を開放して、伝達軸２１ｆとクランク軸２４ｆとが非結合状態となるようにする。次に、ステッピングモータ２０ｆを反時計回りに回転させて、図９（ｂ）に示したように第２垂直羽根１２ｙを前方に対してほぼ平行に向ける。このとき、伝達軸２１ｆのクラッチ機構が開放されているので、第１垂直羽根１２ｘが回転せず、図９（ｂ）とは異なって第１垂直羽根１２ｘが前方に対して平行な状態を保つ。その結果、図１５に示すような、第１垂直羽根１２ｘが収納された状態で、第２垂直羽根１２ｙが前方に対して平行になる状態が形成される。
【００６２】
図１６に示されている気流３５は、冷房運転時において、図１４の状態と同様に水平羽根１１を開き、第２垂直羽根１２ｙを前方に対してほぼ水平に向けるとともに、第１垂直羽根１２ｘを吹出口７よりも少し突出させた状態で発生しているものである。このような第１垂直羽根１２ｘと第２垂直羽根１２ｙの状態は、図９（ｂ）に示す状態に一致する。図１６の状態（図９（ｂ）の状態）は、図１４に示す状態（図９（ａ）の状態）から伝達軸２１ｆのクラッチ機構を繋いで、右側では反時計回りに、左側では時計回りに所定の回動を行わせることにより形成できる。
【００６３】
図１７に示されている気流３６は、冷房運転時において、図１４の状態と同様に水平羽根１１を開き、左半分（グループＡ）の第２垂直羽根１２ｙを左に傾け、右半分（グループＢ）の第２垂直羽根１２ｙを右に傾け、第１垂直羽根１２ｘを図１６と同様に吹出口７よりも少し突出させた状態で発生しているものである。図１７の状態を形成するには、図１５の状態から伝達軸２１ｆのクラッチ機構を開放して、ステッピングモータ２０ｆにより、反時計回りにクランクアーム２５ｆのみを回転させる。それにより、第１垂直羽根１２ｘが図１５の状態を保ちつつ、右半分（グループＢ）の第２垂直羽根１２ｙが図９（ｃ）に示すように右方向を向く。
図１８に示されている気流３７は、冷房運転時において、図１４の状態と同様に水平羽根１１を開き、図１７の状態と同様に第２垂直羽根１２ｙを傾け、第１垂直羽根１２ｘを図１７の状態からさらに突出させた状態で発生しているものである。図１８に示す状態は、図９（ｃ）の状態に対応する。図１８の状態（図９（ｃ）の状態）は、図１４に示す状態（図９（ａ）の状態）から伝達軸２１ｆのクラッチ機構を繋いで、右側では反時計回りに、左側では時計回りに回動を行わせることにより形成できる。
【００６４】
以上の図１４〜図１８の状態の気流について説明する。図１４に示す状態では左および右の第１垂直羽根１２ｘの後方部１２ｘｄが左側壁および右側壁に当接している（図９参照）。そのため、第１垂直羽根１２ｘの背面１２ｘｂの方には、気流は流れ難くなっている。そして、図１４の気流３３は、吹出口７の中央に向かっており、図１４の状態では吹出口７に気流を集め、前方に向けて強い調和空気を送風することができる。図１５の気流３４は、真直ぐ前方に向かっており、図１５の状態では前方に向けて強い調和空気を送風することができる。図１４の気流３３と図１５の気流３５では、中央に向けて気流を集中させるか否かの点で異なり、収納された第１垂直羽根１２ｘは、その後方部１２ｘｄにより気流の集中を助ける。
【００６５】
図１５の気流３４に対して、図１６の気流３５は、第１垂直羽根１２ｘが第２垂直羽根１２ｙよりも吹出口７の外側に向けて迫出すとともに左右方向に傾いているため、吹出口７の左右端部に近い方で気流が左右方向へ少し広がる。図１６の気流に対して、図１７の気流３６は、第２垂直羽根１２ｙのグループＡとグループＢが異なる向きに傾くことによりさらに広がっている。そして、第２垂直羽根１２ｙが傾くことによって左右方向に調和空気が向きを変更されるため、第１垂直羽根１２ｘによって左右に導かれる調和空気の風速や風量が大きくなる。しかし、図１６（ｃ）、図１７（ｃ）を見れば分かるように、左側面２ｂおよび右側面２ｃが面する方には、吹出口７から吹き出された調和空気の気流の発生が少ない。
【００６６】
一方、図１８の気流３７は、第１垂直羽根１２ｘが吹出口７から突出してハ字形に開くことにより、左側面２ｂおよび右側面２ｃが面する方に調和空気の気流が発生する。図１８の気流３７は、左側面２ｂが面する方向から前面２ａの面する方向を経て右側面２ｃの面する方向に至る前方の１８０度全体に渡って切れ目なく向かっている。この様子を天面側から見た図１９（ｂ）に示す。第１垂直羽根１２ｘは、吹出通路１０の右側壁１０ｂの頂部の位置（一点鎖線）よりも前方に突出している。そのため、第２垂直羽根１２ｙで右に導かれた気流３７ａからさらに第１垂直羽根１２ｘにより導かれる気流３７ｂ，３７ｃは、右側壁１０ｂの影響を受けずに右に向かって平行に吹き出される。このとき、気流３７ｂは第１垂直羽根１２ｘの誘導面１２ｘａに沿って導かれ、気流３７ｃは第１垂直羽根１２ｘの背面１２ｘｂによって導かれる。このように、第１垂直羽根１２ｘの背面１２ｘｂを使うことで、より多くの気流を右向きに発生させることができる。また、この状態のときに、第１垂直羽根１２ｘは、吹出通路１０の右側壁１０ｂの延長線上（二点鎖線）よりも右側に突出している。そのため、右に調和空気を誘導する効果が大きくなっている。
【００６７】
それに対し、図１９（ａ）に示す従来の垂直風向板１２８は、側壁１１０の頂部１１０ａよりも奥にあるため、垂直風向板１２８で左へ誘導された調和空気の気流の方向Ｄ１，Ｄ２も側壁１１０に沿って前方へ向きを変える。そのため、最終的に吹出口１０７から吹き出される調和空気の気流の方向Ｄ３，Ｄ４は斜め前方に向かってしまい、左右方向にほぼ平行な気流の方向を得ることができない。
【００６８】
また、図２０（ａ）、図２０（ｂ）および図２０（ｃ）に示すような従来の室内機２００は、側方風向板２１３，２１４で左右方向に調和空気の気流を発生させるので、斜線の領域２４０において気流がほとんどなくなってしまう。これは、側方風向板２１３，２１４あるいは側方風向板２１３，２１４を設けるためのケーシング本体２０６が調和空気の気流を遮るため、気流２３０が無い部分を生じるからである。つまり、垂直風向調整板２１２および水平風向調整板２１１で風向が調整されて吹出口２０７から吹出される気流２３０と、垂直風向調整板２１２および側方風向板２１３，２１４で風向が調整される気流２３１の２つが別々に発生し、これらを切れ目なく繋ぐのは難しいからである。
【００６９】
（暖房運転時の吹出し）
図２１を用いて暖房運転の吹出しについて説明する。図２１（ａ）には暖房運転時の室内機の正面、図２１（ｂ）には右側面、図２１（ｃ）は底面を示している。上述の冷房運転時の吹出しの説明において左側壁近傍と右側壁近傍の第１垂直羽根１２ｘを収納している場合と突出させた場合の違いについては冷房運転時の吹出しで説明したが、暖房運転時においても、第１垂直羽根１２ｘによる調和空気の誘導については冷房運転時と同様の効果を奏する。従って、暖房運転時について第１垂直羽根１２ｘによる気流の調整について重ねて説明する必要がないが、ここでは、暖房運転時の吹出しで第１垂直羽根１２ｘが最も突出した場合について簡単に説明する。
【００７０】
図２１に示されている気流３８は、暖房運転時において、前端部１１ａが後端部１１ｂのより上に位置するように水平羽根１１を開き、左側壁近傍の第１垂直羽根１２ｘと右側壁近傍の第１垂直羽根１２ｘを開き、垂直羽根１２を鉛直方向に対して傾けた状態で発生しているものである。
【００７１】
図２１（ａ）を見ると、気流３８には、左側面２ｂの面する方に向かう気流３８ｂ，３８ｄが含まれ、右側面２ｃの面する方に向かう気流３８ｃ，３８ｅが含まれる。気流３８ｂは、左の第１垂直羽根１２ｘの背面１２ｘｂに沿って導かれ、気流３８ｄは左の第１垂直羽根１２ｘの誘導面１２ｘａに沿って導かれる。また、気流３８ｃは、右の第１垂直羽根１２ｘの背面１２ｘｂに沿って導かれ、気流３８ｅは右の第１垂直羽根１２ｘの誘導面１２ｘａに沿って導かれる。
【００７２】
そして、図２１（ｃ）を見ると、気流３８ｄには、前面２ａの下方に向かう気流３８ａに影響されて斜め前方に向かうものが含まれる。同様に、気流３８ｅには、前面２ａの下方に向かう気流３８ａに影響されて斜め前方に向かうものが含まれる。水平羽根１１の角度と左側壁近傍と右側壁近傍の第１垂直羽根１２ｘの角度を調節することにより、室内機２の左側面２ｂの面する方向、右側面２ｃの面する方向、前面２ａの面する方向ばかりでなく、それらの間の方向に吹き出される調和空気の調節も行うことができる。
【００７３】
（無感気流モード時の吹出し）
以下の説明において、人体が気流を感じ難いように気流を非常に弱くする調和空気の吹出しモードを無感気流モードという。図２２（ａ）には無感気流モード時の室内機の正面図を示し、図２２（ｂ）には室内機の右側面図を示し、図２２（ｃ）には室内機の底面図を示している。無感気流モード時には、水平羽根１１の前端部１１ａが後端部１１ｂよりもやや上がり、水平羽根１１の上面が吹出口に対向する状態になっている。つまり、無感気流モードでの水平羽根１１の姿勢は、水平羽根１１が吹出口７を閉じている姿勢に対して概ね平行である。吹出口７から吹き出される気流に対して水平羽根１１の上面が直交する状態に水平羽根１１を迫出させることで、水平羽根１１の姿勢が図２２のようになる。水平羽根１１が吹出口７から吹き出される気流に対して直交する角度に保たれると、調和空気は水平羽根１１に当たって前方と左右方向だけでなく後方にも流れ、すなわち４方向に吹出し可能な状態となる。
【００７４】
図２２に示す状態は、吹出口７から吹き出される層流の吹出し方向に対して水平羽根１１の上面が垂直になる状態よりもやや前端部１１ａが下がった状態である。この状態では、水平羽根１１に当たって気流は弱められるが、調和空気の後方への流れは、ほとんど存在しないといえる状態か、あるいは極めて弱い状態である。図２２には後方に発生した極めて弱い気流が前方や左右方向に向いた矢印よりも小さな矢印で示されている。また、このとき、クロスフローファン９の回転数も下げて、吹出口７から吹き出させる風量を下げる。それにより、吹き出される調和空気の風量が少なくなって風速が弱くなるのに加え、水平羽根１１に調和空気を当てて風速を減少させることで人に空気の流れを感じ難くさせている。
【００７５】
図２２に示す状態では、ケーシング本体６と水平羽根１１との間にできる隙間が狭くなっている。それにより、左右方向すなわち左側面２ｂおよび右側面２ｃが面する方向への調和空気の吹き出しが前方に比べて多くし易くなっている。さらに、図２２（ａ）や図２２（ｂ）を見て分かるように、水平羽根１１が第１垂直羽根１２ｘと協働して左右方向へ調和空気を誘導している。水平羽根１１が第１垂直羽根１２ｘの直ぐ下にあることにより、より多くの調和空気を左右方向へ導くことができる。
【００７６】
（左右の風量の調節）
左右の風量の調節は、上述のように、主に垂直羽根１２の傾きによって行うことができる。また、図２３や図２４に示すように水平羽根１１を左に傾けたり、または図示を省略するが水平羽根１１を右に傾けたりすることにより、左右の風量の調節を行うことができる。その際に、左側壁近傍の第１垂直羽根１２ｘと右側壁近傍の第１垂直羽根１２ｘの一方のみを開いたり、それぞれの開く角度を変更したりすることにより、さらに左右の風量を細かく調整することができる。
【００７７】
＜変形例＞
（１）上記実施形態では、壁掛け型の室内機２の場合について説明したが、室内機のタイプは壁掛け型に限られるものではなく、据え置き型であってもよく、それ以外のタイプであってもよい。
【００７８】
（２）上記実施形態では、第１垂直羽根１２ｘが左右に１枚ずつ計２枚配置されている場合について説明したが、第１垂直羽根１２ｘは、左右にそれぞれ２枚以上配置してもよい。その場合に、複数枚配置される第１垂直羽根１２ｘの動作を、例えば右側でそれぞれ異なったものとしてもよく、相互に独立させてもよい。その場合に、左右の第１垂直羽根同士を独立して動作させてもよいのは上記実施形態と同様である。
【００７９】
（３）上記実施形態では、右側壁１０ｂ近傍の第１垂直羽根１２ｘとグループＢに属する第２垂直羽根１２ｙとを同一のステッピングモータ２０ｆで駆動する場合について説明したが、例えば２台のステッピングモータを用いて第１垂直羽根１２ｘと第２垂直羽根１２ｙとを別々に駆動してもよい。また、左側についても右側と同様に構成することができる。
【００８０】
＜特徴＞
（ａ）
空気調和装置１の室内機２は、吹出口７を有するケーシング本体６と吹出通路１０の左側壁１０ａの近傍の第１垂直羽根１２ｘと右側壁１０ｂの近傍の第１垂直羽根１２ｘを備えている。また、これら第１垂直羽根１２ｘの間、つまり吹出口７の中央寄りに、第２垂直羽根１２ｙを室内機２は備えている。
【００８１】
第１垂直羽根１２ｘは、垂直羽根駆動機構６２を構成するステッピングモータ２０ｆなど（駆動源）により回転させられることで、第２垂直羽根１２ｙよりも吹出口７の外側方向へ迫出すように移動する。このように第１垂直羽根１２ｘが迫出すことで、第２垂直羽根１２ｙのように左右方向に角度だけ変える垂直羽根だけで構成されている場合に比べて、より吹出口７の外側において調和空気の気流の方向を変化させることができ、左右方向（吹出口７の長手方向）で気流を広げることができる。このとき、垂直羽根で気流の向きを変えるだけであるため、全体的にムラのない調和空気の送風を行わせることができる。
【００８２】
そして、図１９（ｂ）に示すように、第１垂直羽根１２ｘを吹出口７から突出させることにより、第１垂直羽根１２ｘで風向を変更された調和空気が吹出通路１０の左側壁１０ａや右側壁に当たって再び風向を変えることがなくなるため、調和空気を左右方向へ広角度で吹き出させ易くなる。つまり、第１垂直羽根１２ｘを突出させることにより、左右方向に対してより多くの調和空気の吹出しが可能になる。なお、この発明において吹出口７より第１垂直羽根１２ｘが突出するとは、側面視において吹出口７の左右端部より突出することである。
【００８３】
特に、第１垂直羽根１２ｘは、吹出口７よりも突出するときに、ステッピングモータ２０ｆなどのより回転するため、第１垂直羽根１２ｘの誘導面１２ｘａの向きが変わり、図９（ａ）よりも図９（ｂ）の方が、また図９（ｂ）よりも図９（ｃ）の方が吹出口７の外側に向かって開いた状態になる。換言すると、図９（ｂ）の状態の方が図９（ａ）の状態よりも、右側壁１０ｂの方に傾いており、図９（ｃ）の状態の方が図９（ｂ）よりもさらに右側壁１０ｂの方に傾いている。この傾きの角度調節によって、左右方向への吹出しにより適した状態に第１垂直羽根１２ｘを向けることができる。それにより、左右方向へ広がる調和空気の制御が容易になる。
【００８４】
（ｂ）
第２垂直羽根１２ｙは、第１垂直羽根１２ｘよりも柔らかい部材で構成されている。そして、図９（ａ）や図９（ｂ）に示すように、垂直羽根連結棒２６ｆに押されて左右に変形可能に構成されている。垂直羽根連結棒２６ｆが連結されている部分とは反対側が前方方向に対して垂直に固定されており、垂直羽根連結棒２６ｆによっても固定されるため、変形するような柔らかい部材を用いても、調和空気の風向を変更させることができる。一方、第１垂直羽根１２ｘは、背面１２ｘｂに固定された支持アーム２２ｆで支えられている。支持アーム２２ｆは、第１垂直羽根１２ｘを回動させるため、２枚の板状の部材で第１垂直羽根１２ｘの一部に固定されている。そして、第１垂直羽根１２ｘは、全体を支持アーム２２ｆで支えられていなくても変形しないように、第２垂直羽根１２ｙよりも剛性の高い部材で構成されている。例えば、第１垂直羽根１２ｘと第２垂直羽根１２ｙを同じプラスチック材料で成形しても第１垂直羽根１２ｘの厚みを厚くすることで所望の高い剛性を得ることができる。
【００８５】
上記実施形態では、第１垂直羽根１２ｘは、誘導面１２ｘａが吹出口７の中央に向かって凸状に湾曲している。この湾曲した誘導面１２ｘａに沿って調和空気をスムーズに誘導し、その風向を吹出口７の前方に向かって平行な方向から垂直な方向へと効率よく変化させることができる。湾曲している第１垂直羽根により広角度で吹き出させ易くなるので、第１垂直羽根１２ｘをコンパクトに設計することができ、空気調和装置１の室内機２を小型化し易くなる。
【００８６】
また、このように凸状に誘導面１２ｘａが湾曲しているため、図１４に示すように、第１垂直羽根１２ｘを収納した状態では、左にある第１垂直羽根１２ｘが右に向かう気流を発生させ、右にある第１垂直羽根１２ｘが左に向かう気流を発生させることができる。これにより、調和空気の気流を中央に集められるので、前方に向かって強く調和空気を吹き出させることができる。
【００８７】
この第１垂直羽根１２ｘを、背面１２ｘｂから見ると、凹状に湾曲している。この凹状に湾曲した背面１２ｘｂにより、例えば図１９（ｂ）に示すように、左右方向に平行に調和空気の気流の向きを変更することができる。そのため第１垂直羽根１２ｘにより、左右方向に平行に、より多くの調和空気を吹き出させることができる。
【符号の説明】
【００８８】
１  空気調和装置
２  室内機
６  ケーシング本体
７  吹出口
１０  吹出通路
１１  水平羽根
１２  垂直羽根
１２ｘ  第１水平羽根
１２ｙ  第２水平羽根
１２ｘａ  誘導面
１２ｘｂ  背面
【先行技術文献】
【特許文献】
【００８９】
【特許文献１】特開平８−１３６０４２号公報
【図１】
2011094876.tif 000003
【図２】
2011094876.tif 000004
【図３】
2011094876.tif 000005
【図４】
2011094876.tif 000006
【図５】
2011094876.tif 000007
【図６】
2011094876.tif 000008
【図７】
2011094876.tif 000009
【図８】
2011094876.tif 000010
【図９】
2011094876.tif 000011
【図１０】
2011094876.tif 000012
【図１１】
2011094876.tif 000013
【図１２】
2011094876.tif 000014
【図１３】
2011094876.tif 000015
【図１４】
2011094876.tif 000016
【図１５】
2011094876.tif 000017
【図１６】
2011094876.tif 000018
【図１７】
2011094876.tif 000019
【図１８】
2011094876.tif 000020
【図１９】
2011094876.tif 000021
【図２０】
2011094876.tif 000022
【図２１】
2011094876.tif 000023
【図２２】
2011094876.tif 000024
【図２３】
2011094876.tif 000025
【図２４】
2011094876.tif 000026